(57)【特許請求の範囲】
【請求項１】
（１）ケーシングの先端に形成された切欠き部に固着されたアダプター部、（２）該アダプター部に嵌合するポイント部、及び（３）該アダプター部と該ポイント部を貫通するロックピンから構成される地中掘削機械用ケーシングの掘削歯において、上記アダプター部は開口した受け口と受け口より内部へ設けられた中空部であるソケットを有し、該アダプター部の正面側をロックピン穴が貫通し、上記ポイント部は掘削刃先端と反対方向に舌部を有し、該舌部には、上記アダプター部のソケットへ嵌合した時にアダプター部の上記ロックピン穴と同一位置にロックピン穴が形成され、該ロックピン穴の立面断面の一端が逆Ｕ字型穴を有し、上記ロックピンはその上部中央部に中拡型の切欠き部を有し、該切欠き部に弾性体及び弾性体に接して前記切欠き部の開口から突出し、前記逆Ｕ字型穴と嵌合する突起を有する逆Ｔ字型の係止具を有することを特徴とする掘削歯。
【請求項２】
ポイント部の掘削刃先端部の横断面は、先細りの台形状であり、かつアダプター部の突出からポイント部の面を越える位置まで外周面が外側に傾斜突出していることを特徴とする請求項１記載の掘削歯。
【発明の詳細な説明】
【０００１】
【発明の属する技術分野】
本発明は土木工事の基礎工事等に使用されるケーシングの先端に取付けられる掘削歯に関する。
【０００２】
【従来の技術】
回転・掘削するアースオーガ用ケーシングは、肉厚が５０ｍｍ以下に制限されている。このため図９に示すように掘削歯の肉径はケーシングの肉厚と略等しく、形状は長方形で一体型のものが多い。図９では、掘削歯ＢはケーシングＡの外面側と内面側から開先を設けて溶接により取りつけられている。
又、二体型掘削歯としては、特公平５−７２５１８号公報の図１０に示されているような、分割されたアダプターとポイントを有し、アダプターのノーズ部がポイントの開口盲穴に嵌合した複雑な形状となっている。
【０００３】
更に、実公平７−２４４７０号公報の図１１に示されたものは、アダプターに嵌合するポイントはケーシングの外側又は内側に移動でき、これらを係止するロックピンは鉄鋼片に硬質ゴムを接着したもので表面に波形が形成され、その摩擦力で係止している。
しかしながら、図９に示された一体型の場合、掘削歯Ｂが使用限度以上の摩耗によって交換する際には、掘削歯Ｂを切断して再度新しい歯先を溶接を行うため、多大な労力と費用を要する。
【０００４】
図１０に示された二体型の一例の場合、アダプター部Ｂ１とポイント部Ｂ２より構成されているため、（３１，３２と３９，４０），（３３，３４と４１，４２），（３５，３６と４３，４４）のように複雑な薄肉の嵌合面が多くあるため、造型に多くの労力と費用を要する上に、掘削時にはこれらの嵌合面に土砂が詰り易く、その場合図示しないロックピンに大きな負荷がかかるため、ポイント部Ｂ２の交換が容易ではないという問題があった。
図１１に示したような二体型の場合、ケーシングＡの押込み時にポイント部Ｂ２はケーシングＡの外側に移動する。アダプター部Ｂ１の内側傾斜面４６とポイント部Ｂ２の外周面の傾斜面４７の間に土砂が詰まりポイント部Ｂ２はケーシングＡの内側に引込んで所期の掘削ができなくなる。又、ロックピンＣはロックピン穴４８とほぼ同一寸法で製作され、ロックピンＣの端面を叩いてロックピン穴４８に挿入し、操業時に過大な負荷がかかった場合にロックピンＣ自体は移動できないので折れることがあった。
【０００５】
【発明が解決しようとする課題】
本発明は、アダプター部とポイント部からなる二体型掘削歯において、これらを係止するロックピンに過大な負荷がかかる場合でもその負荷から逃れて折れることのないようにした二体型掘削歯を提供することになる。
【０００６】
【課題を解決するための手段】
本発明者は鋭意検討した結果、アダプター部とポイント部の嵌合面は従来のものと同じであるが、ロックピンに負荷がかかった場合にロックピンが移動可能とすることでその負荷から逃げられることを見出し、本発明に至った。
【０００７】
即ち、本発明は、（１）ケーシングの先端に形成された切欠き部に固着されたアダプター部、（２）該アダプター部に嵌合するポイント部、及び（３）該アダプター部と該ポイント部を貫通するロックピンから構成される地中掘削機械用ケーシングの掘削歯において、上記アダプター部は開口した受け口と受け口より内部へ設けられた中空部であるソケットを有し、該アダプター部の正面側をロックピン穴が貫通し、上記ポイント部は掘削刃先端と反対方向に舌部を有し、該舌部には、上記アダプター部のソケットへ嵌合した時にアダプター部の上記ロックピン穴と同一位置にロックピン穴が形成され、該ロックピン穴の上部中央に逆Ｕ字型穴を有し、上記ロックピンはその上部中央部に中拡型の切欠き部を有し、該切欠き部に弾性体及び弾性体に接して前記切欠き部の開口から突出し、前記逆Ｕ字型穴と嵌合する突起を有する逆Ｔ字型の係止具を有することを特徴とする掘削歯である。
そして、ケーシングの掘削性を向上させるために、ポイント部の掘削歯先端部の横断面は先細りの台形状であり、かつアダプター部の突出からポイント部の面を越えた位置、即ち図５のＹ−Ｙまで外周面が外側に傾斜突出している。
すなわち、本発明では、ポイント歯先形状はほぼ先細りのくさび形状にして、土壌への貫入性に配慮した。
【０００８】
【発明の実施の形態】
以下、本発明の実施例を図面を用いて説明する。
図１は、本発明のアダプター部２とポイント部１０からなる二体型掘削歯１がアースオーガ用ケーシングＡの先端部に取付けられる前の分解側面図を示す。図２及び図３はアダプター部２の平面図と側面部である。これら図に示されるように、アダプター部２はケーシングＡの切欠き部に差し込まれ断面がほぼ長方形であって、長手方向の両サイドと後方の３ケ所の開先ｋを溶接してケーシングＡに固定されている。
【０００９】
アダプター部２の前方、即ちケーシングＡの外側に延長して、ポイント部１０の舌部１３と合致するように突出７が形成されている。ポイント部１０の舌部１３と嵌合する受口３は、ケーシング方向に延びた中空部であるソケット４、及び該ソケット４を横方向に貫通するロックピン穴９を有する。一方、図４〜６に示されるようにポイント部１０には、アダプター部２の前記ソケット４を嵌合する舌部１３、及び舌部１３を横方向に貫通するロックピン穴１５が設けられている。該ロックピン穴１５には逆Ｕ字穴１６が設けられ、図７及び図８に示されるロックピン１７の突起状の係止部２０が嵌合する。
また、図６に示されるようにポイント部の先端部のＺ−Ｚ横断面は、台形状を有している。
【００１０】
ケーシングの回転時に発生する負荷は、アダプター部２のソケット４の両側面５，６からポイント部１０の舌部１３の両側面１１，１２でそれぞれ受けられる。又、ポイント部１０の押し込みに発生する負荷はアダプター部２の前方端面８からポイント部１０の舌部１３の根元に相当する面１４で受けられる。
ロックピン１７は断面が長方形で片面中央部に中拡型の切欠き部２１を有し、該切欠き部２１の中心付近に弾性体１９、及び弾性体に接して切欠き部２１の開口部から突出する突起２０を有する逆Ｔ字型係止部１８が充填されている。アダプター部２にポイント部１０を嵌合後、ロックピン１７を両ロックピン穴９，１５を貫通させ、突起２０がポイント部１０の逆Ｕ字型穴１６に嵌合してアダプター部２とポイント部１０は連結する。即ち、このロックピン１７の逆Ｔ字型係止部１８の突起２０が、ポイント部１０のロックピン穴１５の逆Ｕ字型穴１６に嵌り込みロックピンは抜けなくなる。よって、ポイント部１０はアダプター部２から脱落することはない。又、土砂等がロックピン穴９，１５に入ってアダプター部２とポイント部１０の嵌合が悪化してロックピン１７に負荷がかかっても弾性体１９の弾力性によりロックピン１７の破損が防がれる。
ポイント部１０をアダプター部２から取り外す時は上記の逆を行えばよい。
【００１１】
【発明の効果】
上記のとおり、本発明によればポイント部の逆Ｕ字型ロックピン穴及びロックピンが有する逆Ｔ字型係止具と中拡型切欠き部に充填された弾性体により、ロックピンに過大な負荷がかかってもロックピンは負荷から逃がれ折れることはない。
【図面の簡単な説明】
【図１】  本発明の掘削歯の分解側面図、
【図２】  本発明のアダプター部の正面図、
【図３】  図２の側面図、
【図４】  本発明のポイント部の正面図、
【図５】  図４の側面図、
【図６】  図４の背面図、
【図７】  本発明のロックピンの斜視図、
【図８】  図７の機能の説明図、
【図９】  従来の一体型掘削歯の斜視図、
【図１０】  従来の二体型掘削歯の斜視図、
【図１１】  従来の他の二体型掘削歯の断面図。
【符号の説明】
Ａ  ケーシング先端部
１  二体型掘削歯
２  アダプター部
３  受け口
４  ソケット
５，６  ソケット側面
７  突出
８  前方端面
９  ロックピン穴
１０  ポイント部
１１，１２  舌部の側面
１３  舌部
１４  面
１５  ロックピン穴
１６  逆Ｕ字穴
１７  ロックピン
１８  係止具
１９  弾性体
２０  逆Ｔ字型突起
２１  切欠き部
【図１】
0003748123.tif 000002
【図２】
0003748123.tif 000003
【図３】
0003748123.tif 000004
【図４】
0003748123.tif 000005
【図５】
0003748123.tif 000006
【図６】
0003748123.tif 000007
【図７】
0003748123.tif 000008
【図８】
0003748123.tif 000009
【図９】
0003748123.tif 000010
【図１０】
0003748123.tif 000011
【図１１】
0003748123.tif 000012